(57)【要約】【課題】この発明は、紙葉類を一枚ずつ安定して積載収容することの出来る紙葉類の積載収容装置を提供する。【解決手段】一対のガイドレール３，４と対向する位置のリフトテーブル７の両側方７ｃにガイドレール３，４へ向けてそれぞれ摩擦手段３０，３１を突設し、リフトテーブル７により紙葉類１０を溝３ａ，４ａ内から脱出させる際に、紙葉類１０を摩擦手段３０，３１に摺接させてリフトテーブル７上から紙葉類１０が移動することを阻止するようにした。【選択図】  図４
2004359400.tif 000002
【特許請求の範囲】
【請求項１】
所定の間隔を設けて配設され、紙葉類の端部を案内するガイド溝が形成された一対のガイドレールと、該一対のガイドレール間に出没するリフトテーブルと、前記紙葉類を収容するスタッカとを少なくとも具え、前記一対のガイドレールのガイド溝内に案内された紙葉類を前記リフトテーブルを介し前記一対のガイド溝から脱出させ、前記スタッカ内に積載収容するようにした紙葉類の積載収容装置において、
前記一対のガイドレールと対向する位置の前記リフトテーブルの両側方に前記ガイドレールへ向けて摩擦手段を突設し、該リフトテーブルにより前記紙葉類を前記溝内から脱出させる際に、前記紙葉類を前記摩擦手段に摺接させて前記リフトテーブルから前記紙葉類が移動することを阻止するようにしたことを特徴とする紙葉類の積載収容装置。
【請求項２】
前記摩擦手段は弾性体のゴムからなる舌片状の弾性部材であることを特徴とする請求項１に記載の紙葉類の積載収容装置。
【請求項３】
前記摩擦手段は弾性体のゴムからなる舌片状の弾性部材と、該弾性部材に対応する位置の前記リフトテーブル上面に突設された突起であることを特徴とする請求項１に記載の紙葉類の積載収容装置
【請求項４】
前記摩擦手段は前記リフトテーブルの両側方にそれぞれ一箇所づつ配設されていることを特徴とする請求項１に記載の紙葉類の積載収容装置。
【請求項５】
前記摩擦手段は前記リフトテーブルの両側方に複数箇所配設されていることを特徴とする請求項１に記載の紙葉類の積載収容装置。
【請求項６】
前記摩擦手段は前記リフトテーブルの両側方に沿って配設されていることを特徴とする請求項１に記載の紙葉類の積載収容装置。
【発明の詳細な説明】
【０００１】
【発明の属する技術分野】
この発明は、紙幣、債券、あるいは証券等の紙葉類を多数枚積載収容する紙葉類の積載収容装置に関する。
【０００２】
【従来の技術】
従来から、紙葉類である紙幣の真偽を判別し、真券と見做された紙幣を収容する紙幣処理装置では、真券を積載収容するための装置として紙葉類の積載収容装置が使用されている。
【０００３】
なお、上述した紙幣処理装置では紙幣投入口から投入された投入紙幣は、紙幣搬送路に沿って搬送され、その間に紙幣真偽判別部によりその真偽が判別される。
【０００４】
そして、投入紙幣が偽券と見做されると、当該紙幣は紙幣投入口へ返却され、また真券と見做されると、さらに紙幣搬送路の下流へ搬送されて、紙葉類の積載収容装置であるスタッカ内に蓄積収容される。
【０００５】
図９は従来の紙葉類の積載収容装置１を示す要部断面図である。
【０００６】
この積載収容装置１は、図示せぬ紙幣投入口内に投入され、真券と見做された紙葉類である投入紙幣１０を図面の上下方向へ向け多数枚積載収容するスタッカ２と、このスタッカ２の開口部２ａの周縁に配設され、投入紙幣１０を当該開口部２ａに案内する断面コの字形状の一対のガイド溝３ａ，４ａを有するガイドレール３，４と、この一対のガイドレール３，４の上面３ｂ，４ｂにコイルバネ５を介し圧接するスタッカープレート６と、前記一対のガイドレール３，４のガイド溝３ａ，４ａ内に両端部が案内されて搬送された投入紙幣１０をスッタッカ２内に押し込むリフトテーブル７とから構成されている。
【０００７】
なお、このリフトテーブル７は、その下面に配設された図示せぬパンタグラフ状のリンク機構からなる周知の昇降手段により所定のタイミングでスタッカ２内へ向け昇降するように構成されている。
【０００８】
そして、図示せぬ紙幣搬送手段を介し一対のガイドレール３，４のガイド溝３ａ．４ａ内に嵌挿された投入紙幣１０の両端部は、昇降手段によるリフトテーブル７の昇降作用によって、一対のガイドレール３，４のガイド溝３ａ．４ａから上方へ脱出し、その後、スタッカープレート６とガイドレール３，４の上面３ｂ，４ｂとの間に挟持されてスタッカ２内に積載収容される。
【０００９】
【発明が解決しようとする課題】
ところで、上述した従来の紙葉類の積載収容装置１によると、図１０で示すように、リフトテーブル７が矢印のように上動すると、それにより一対のガイドレール３，４のガイド溝３ａ．４ａ内に案内された投入紙幣１０が上方へ押し上げられるが、その際、投入紙幣１０の両端部１０ａ，１０ｂはリフトテーブル７の両側縁７ａ，７ｂと一対のガイド溝３ａ，４ａの開口部上縁３ｃ，４ｃとに摺接して摩擦接触する。
【００１０】
その際、投入紙幣１０の両端部１０ａ，１０ｂのコンディション、即ち、汚れや皺の有無等により、投入紙幣１０の両端部１０ａ，１０ｂのうちいずれか一方の端部の摩擦係数が他方の端部の摩擦係数よりも大きくなる場合がある。
【００１１】
例えば、投入紙幣１０の両端部１０ａ，１０ｂのうち、端部１０ｂの摩擦係数が他方の端部１０ａよりも大きい場合は、図１１で示すように、投入紙幣１０の一方の端部１０ａのみが、一方のガイドレール３の上縁３ｂ上に抜け出るが、他方の端部１０ｂはガイド溝４ａの開口部上縁４ｃに引き止められて当該ガイド溝４ａ内に残されたままになる虞がある。
【００１２】
その後、図１２で示すように、リフトテーブル７が図示せぬ昇降手段により初期位置に復帰した後であっても、投入紙幣１０の一端１０ｂは依然としてガイドレール４のガイド溝４ａ内に残されたままとなるので、次に投入された紙幣が一対のガイドレール３，４のガイド溝３ａ．４ａ内に案内されると、その紙幣とガイドレール４のガイド溝４ａ内に残されたままの投入紙幣１０の一端１０ｂとが衝突し、これによりガイドレール３，４で紙ジャムが発生し紙幣処理装置が使用できなくなる重大な問題が発生する。
【００１３】
この発明は、上述した事情に鑑み、紙葉類を一枚ずつ安定して積載収容することの出来る紙葉類の積載収容装置を提供することを目的する。
【課題を解決するための手段】
上述した課題を解決するため、この発明では、所定の間隔を設けて配設され、紙葉類の端部を案内するガイド溝が形成された一対のガイドレールと、該一対のガイドレール間に出没するリフトテーブルと、前記紙葉類を収容するスタッカとを少なくとも具え、前記一対のガイドレールのガイド溝内に案内された紙葉類を前記リフトテーブルを介し前記一対のガイド溝から脱出させ、前記スタッカ内に積載収容するようにした紙葉類の積載収容装置において、前記一対のガイドレールと対向する位置の前記リフトテーブルの両側方に前記ガイドレールへ向けて摩擦手段を突設し、該リフトテーブルにより前記紙葉類を前記溝内から脱出させる際に、前記紙葉類を前記摩擦手段に摺接させて前記リフトテーブルから前記紙葉類が移動することを阻止するようにしている。
【００１４】
【発明の実施の形態】
以下、この発明に係る紙葉類の積載収容装置の一実施例を詳述する。
【００１５】
図１はこの発明に係る紙葉類の積載収容装置２０を示す要部断面図で、図９と同一部分を同一符号で示す。
【００１６】
この紙葉類の積載収容装置２０では、リフトテーブル７の両側方であって、各ガイドレール３，４と対向する位置にそれぞれ同一構造をした一対の摩擦手段３０、３１が配設されている。
【００１７】
この摩擦手段３０，３１は、図１のＡＡ断面で示す図２のように、リフトテーブル７の両側方７ｃにそれぞれ一箇所づつ配設されている。
【００１８】
この摩擦手段３０，３１は一方の摩擦手段３１を例にとって説明すると、図２のＢＢ拡大断面で示す図３のように、リフトテーブル７の下面７ａ突設された突起７ｂに嵌着する弾性体のゴムからなる舌片状の弾性部材３３から構成されている。なお、この弾性部材３３の先端３３ａは図２に示すように円弧形状に形成され、さらにその先端３３ａは、それぞれ対向するガイドレール４（３）へ向けリフトテーブル７の両側方７ｃから若干突出するように配設されている。
【００１９】
また、この摩擦手段３０，３１が配設された位置のリフトテーブル上面７ｄには、一体に突起７ｅが突設され、紙葉類である投入紙幣１０が一対のガイド溝３ａ，４ａ内に案内された際に、当該紙幣１０と摩擦手段３０，３１の各弾性部材３３とが接触して紙ジャムを起こさないようにしている。なお、図３で符号７ｆは弾性部材３３の下面を支えるリブであり、符号７ｇは切り欠である。
【００２０】
次に、上述した紙葉類の積載収容装置２０の作用を説明し、併せて構成をより詳細に説明する。なお、一対の摩擦手段３０，３１の作用は全く同一なので、一方の摩擦手段３１の作用を代表して説明し、他方の摩擦手段３０の作用の説明を省略する。
【００２１】
図３と同一部分を同一符号で示す図４に示すように、リフトテーブル７が矢印のように上動すると、それにより一対のガイドレール３，４のガイド溝３ａ．４ａ内に案内された投入紙幣１０が上方へ押し上げられる。
【００２２】
その際、投入紙幣１０の両端部１０ａ（１０ｂ）は湾曲して、その下面が摩擦手段３１（３０）を構成する舌片状の弾性部材３３の先端３３ａに摺接し、同時に当該弾性部材３３の先端３３ａを湾曲させてその接触面積を増大させる。
【００２３】
このように摩擦手段３１を構成する舌片状の弾性部材３３の先端３３ａが湾曲して投入紙幣１０の端部１０ａとの接触面積を増大させると、当該弾性部材３３の先端３３ａと投入紙幣１０の端部１０ａとの摩擦力が増大し、この結果、投入紙幣１０とガイド溝４ａの開口部上縁４ｃとの接触による摩擦力よりも弾性部材３３と投入紙幣１０の端部１０ｂとの摩擦力の方が極めて大きくなる。
【００２４】
このためリフトテーブル７に載置された投入紙幣１０は、ガイド溝４ａの開口部上縁４ｃとの接触による摩擦力により引っ張られて、その位置を動くことはなく安定して上動し、投入紙幣１０の両端部１０ａ，１０ｂは図５で示すように一対のガイドレール３，４の各上面３ｂ，４ｂに抜け出すこととなる。
【００２５】
従って、図６に示すようにリフトテーブル７が図示せぬ周知の昇降手段を介して初期位置に復帰すると、投入紙幣１０は、一対のガイドレール３，４の各上面３ｂ，４ｂとスタッカープレート６の間に挟持され、スタッカ２内に収容されることとなる。
【００２６】
従って、次に続く投入紙幣はスムーズに一対のガイドレール３，４のガイド溝３ａ．４ａ内に案内され、その前に投入された投入紙幣１０と衝突して紙ジャムを起こすことはない。
【００２７】
その後、後に続く投入紙幣はリフトテーブル７の前記と同様の作用によって、一対のガイドレール３，４の各上面３ｂ，４ｂとスタッカープレート６の下面に位置決め収容された前記投入紙幣１０との間に挟持され、スタッカ２内に安定して収容されることとなる。
【００２８】
なお、上記実施例では、図２に示すように、摩擦手段３０，３１をリフトテーブル７の両端部にそれぞれ一箇所づつ配設するようにしたが、この発明は上記実施例に限定されることなく、図２と同一部分を同一符号で示す図７のように、摩擦手段３０，３１をリフトテーブル７の両側方７ｃにそれぞれ複数箇所配設するようにしても良い。
【００２９】
また、上記実施例では、摩擦手段３０，３１をリフトテーブル７の両側方７ｃにそれぞれ一箇所、あるいは複数箇所設けるようにしたが、この発明は上記実施例に限定されることなく、図２と同一部分を同一符号で示す図８のように、摩擦手段３１（３０）を構成する舌片状の弾性部材３３をリフトテーブル７の両側方７ｃに沿って長く設置するようにしてもよい。
【００３０】
【発明の効果】
【図面の簡単な説明】
【図１】図１はこの発明に係る紙葉類の積載収容装置を示す要部断面図。
【図２】図２は図１のＡＡ断面図。
【図３】図３は図２のＢＢ断面図。
【図４】図４はこの発明に係る紙葉類の積載収容装置の作用を示す要部破断面図。
【図５】図５はこの発明に係る紙葉類の積載収容装置の作用を示す要部破断面図。
【図６】図６はこの発明に係る積載収容装置の作用を示す要部破断面図。
【図７】図７はこの発明に係る積載収容装置の他の実施例を示す図１のＡＡ断面図。
【図８】図８はこの発明に係る積載収容装置の他の実施例を示す図１のＡＡ断面図。
【図９】図９は従来の紙葉類の積載収容装置を示す要部断面図。
【図１０】図１０は従来の積載収容装置の作用を示す要部断面図。
【図１１】図１１は従来の積載収容装置の作用を示す要部断面図。
【図１２】図１２は従来の積載収容装置の作用を示す要部断面図。
【符号の説明】
２…スタッカ
３，４…ガイドレール
３ａ，４ａ…ガイド溝
７…リフトテーブル
７ｃ…側方
７ｅ…突起
１０…紙葉類
２０…紙葉類の積載収容装置
３０，３１…摩擦手段
３３…弾性部材
【図１】
2004359400.tif 000003
【図２】
2004359400.tif 000004
【図３】
2004359400.tif 000005
【図４】
2004359400.tif 000006
【図５】
2004359400.tif 000007
【図６】
2004359400.tif 000008
【図７】
2004359400.tif 000009
【図８】
2004359400.tif 000010
【図９】
2004359400.tif 000011
【図１０】
2004359400.tif 000012
【図１１】
2004359400.tif 000013
【図１２】
2004359400.tif 000014